(57)【要約】【課題】直販で生産物を販売する場合に、消費者の需要に応じて、価格を変化させることにより、生産者の利益を一定に保つことができる直販価格シミュレーションシステムを提供する。【解決手段】直販価格シミュレーションシステム１０において、直販商品テーブル７１と、直販取引テーブル７２と、市場商品テーブル７３と、市場取引テーブル７４と、直販商品と市場商品の紐付テーブル７５と、直販取引テーブル７２に格納された取引情報、市場取引テーブル７４に格納された取引情報、および直販商品と市場商品の紐付テーブル７５に格納された紐付情報に基づいて、直販商品について、紐付けられた市場商品の市場価格の変動率を反映した直販価格を算出し、生産者２０に通知する処理部６０と、を備えた。【選択図】図１
2015187825.tif 000002
【特許請求の範囲】
【請求項１】
生産者が直販する直販商品の商品情報が格納される直販商品テーブルと、
前記直販商品が販売された際の取引情報が格納される直販取引テーブルと、
前記直販商品に対応する市場商品の商品情報が格納される市場商品テーブルと、
前記市場商品が販売された際の取引情報が格納される市場取引テーブルと、
前記直販商品と前記市場商品の紐付情報が格納される直販商品と市場商品の紐付テーブルと、
前記直販取引テーブルに格納された取引情報、前記市場取引テーブルに格納された取引情報、および前記直販商品と市場商品の紐付テーブルに格納された紐付情報に基づいて、前記直販商品について、紐付けられた前記市場商品の市場価格の変動率を反映した直販価格を算出し、前記生産者に通知する処理部と、
を備えた、直販価格シミュレーションシステム。
【請求項２】
請求項１に記載の直販価格シミュレーションシステムにおいて、
前記処理部は、前記市場取引テーブルに格納された取引情報の最新取引情報、および前記直販取引テーブルに格納された取引情報の所定期間の平均値と前記市場取引テーブルに格納された取引情報の所定期間の平均値との比率に基づいて、前記直販価格を算出する、
直販価格シミュレーションシステム。
【請求項３】
請求項２に記載の直販価格シミュレーションシステムにおいて、
前記処理部は、前記直販商品を購入する消費者からの前記直販商品に対するニーズ情報を受け付け、前記ニーズ情報を前記生産者に通知し、
前記生産者により、前記ニーズ情報に基づいて、入力された前記直販商品の商品情報を、前記直販商品テーブルに登録する、直販価格シミュレーションシステム。
【請求項４】
請求項３に記載の直販価格シミュレーションシステムにおいて、
前記直販商品テーブルは、前記直販商品の鮮度および産地の属性情報が格納され、
前記処理部は、前記属性情報に基づいて、前記算出した直販価格を補正する、直販価格シミュレーションシステム。
【請求項５】
生産者が直販する直販商品の商品情報が格納される直販商品テーブルと、前記直販商品が販売された際の取引情報が格納される直販取引テーブルと、前記直販商品に対応する市場商品の商品情報が格納される市場商品テーブルと、前記市場商品が販売された際の取引情報が格納される市場取引テーブルと、前記直販商品と前記市場商品の紐付情報が格納される直販商品と市場商品の紐付テーブルとを備えたコンピュータにおける直販価格シミュレーションプログラムであって、
前記コンピュータを、前記直販取引テーブルに格納された取引情報、前記市場取引テーブルに格納された取引情報、および前記直販商品と市場商品の紐付テーブルに格納された紐付情報に基づいて、前記直販商品について、紐付けられた前記市場商品の市場価格の変動率を反映した直販価格を算出し、前記生産者に通知する処理部として機能させる、
直販価格シミュレーションプログラム。
【発明の詳細な説明】
【技術分野】
【０００１】
本発明は、直販価格のシミュレーション結果を生産者に通知する直販価格シミュレーションシステムおよび直販価格シミュレーションプログラムに関し、特に、市場価格の変動を考慮した直販価格の算出に関するものである。
【背景技術】
【０００２】
従来、商品価格の予測を行うシステムとして、特許文献１（特開２０１０−１６０５６８号公報）に記載の技術があった。これは、新たに設計する商品の価格予測を行うのに際して、商品の属性情報として、商品の仕様のみならず、生産方法に関する情報を用いると共に、複数の商品の情報を用いて商品価格の予測を行うものである。
【先行技術文献】
【特許文献】
【０００３】
【特許文献１】特開２０１０−１６０５６８号公報
【発明の概要】
【発明が解決しようとする課題】
【０００４】
市場における生産物の価格は、需要と供給によって変化を受ける。しかし、現在では農産物／水産物の直販が多く行われているが、需要と供給に関わらず、一定価格で販売されている場合が多い。例えば、消費者の需要が高まった場合に、スーパーマーケットなどに代表される市場では、いち早く価格を上げる等の施策をとり、より多くの利益を得るようにしている。
【０００５】
しかし、直販では一定価格で販売されていることが多いため、消費者の需要が高まった場合などでは、消費者の需要をいち早くとりいれた市場価格に比べて、安値で取引されてしまい、高値で売ればより利益が出た可能性の機会を失うことになる。
【０００６】
また、特許文献１の技術においては、新規開発商品の価格シミュレーションについて触れられているが、農産物／水産物などの直販の生産物を日々予測するものではなく、日々移りかわる市場での取引価格の情報を直販価格に反映することはできない。
【０００７】
そこで、本発明の目的は、直販で生産物を販売する場合に、消費者の需要に応じて、価格を変化させる直販価格シミュレーションシステムおよび直販価格シミュレーションプログラムを提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次の通りである。
【００１０】
すなわち、代表的なものの概要は、直販価格シミュレーションシステムにおいて、生産者が直販する直販商品の商品情報が格納される直販商品テーブルと、直販商品が販売された際の取引情報が格納される直販取引テーブルと、直販商品に対応する市場商品の商品情報が格納される市場商品テーブルと、市場商品が販売された際の取引情報が格納される市場取引テーブルと、直販商品と市場商品の紐付情報が格納される直販商品と市場商品の紐付テーブルと、直販取引テーブルに格納された取引情報、市場取引テーブルに格納された取引情報、および直販商品と市場商品の紐付テーブルに格納された紐付情報に基づいて、直販商品について、紐付けられた市場商品の市場価格の変動率を反映した直販価格を算出し、生産者に通知する処理部と、を備えたものである。
【００１１】
また、生産者が直販する直販商品の商品情報が格納される直販商品テーブルと、直販商品が販売された際の取引情報が格納される直販取引テーブルと、直販商品に対応する市場商品の商品情報が格納される市場商品テーブルと、市場商品が販売された際の取引情報が格納される市場取引テーブルと、直販商品と市場商品の紐付情報が格納される直販商品と市場商品の紐付テーブルとを備えたコンピュータにおける直販価格シミュレーションプログラムであって、コンピュータを、直販取引テーブルに格納された取引情報、市場取引テーブルに格納された取引情報、および直販商品と市場商品の紐付テーブルに格納された紐付情報に基づいて、直販商品について、紐付けられた市場商品の市場価格の変動率を反映した直販価格を算出し、生産者に通知する処理部として機能させるものである。
【発明の効果】
【００１２】
本願において開示される発明のうち、代表的なものによって得られる効果を簡単に説明すれば以下の通りである。
【００１３】
すなわち、直販で生産物を販売する場合に、消費者の需要に応じて、価格を変化させることにより、生産者の利益を一定に保つことができる。
【図面の簡単な説明】
【００１４】
【図１】本発明の実施の形態１に係る直販価格シミュレーションシステムの構成を示す構成図である。
【図２】本発明の実施の形態１に係る直販価格シミュレーションシステムで使用される直販商品テーブルの詳細を示す図である。
【図３】本発明の実施の形態１に係る直販価格シミュレーションシステムで使用される直販取引テーブルの詳細を示す図である。
【図４】本発明の実施の形態１に係る直販価格シミュレーションシステムで使用される市場商品テーブルの詳細を示す図である。
【図５】本発明の実施の形態１に係る直販価格シミュレーションシステムで使用される市場取引テーブルの詳細を示す図である。
【図６】本発明の実施の形態１に係る直販価格シミュレーションシステムで使用される直販商品と市場商品の紐付テーブルの詳細を示す図である。
【図７】本発明の実施の形態１に係る直販価格シミュレーションシステムで使用される直販商品と市場商品の紐付テーブルでの紐付けの一例を示す図である。
【図８】本発明の実施の形態１に係る直販価格シミュレーションシステムの全体の流れを説明するための説明図である。
【図９】本発明の実施の形態１に係る直販価格シミュレーションシステムの価格計算エンジンの処理動作を示すフローチャートである。
【図１０】本発明の実施の形態２に係る直販価格シミュレーションシステムのニーズ情報を利用した処理を示すフローチャートである。
【発明を実施するための形態】
【００１５】
以下、本発明の実施の形態を図面に基づいて詳細に説明する。なお、実施の形態を説明するための全図において、同一部には原則として同一の符号を付し、その繰り返しの説明は省略する。
【００１６】
（実施の形態１）
＜直販価格シミュレーションシステムの構成＞
図１により、本発明の実施の形態１に係る直販価格シミュレーションシステムの構成について説明する。図１は本発明の実施の形態１に係る直販価格シミュレーションシステムの構成を示す構成図である。
【００１７】
図１において、直販価格シミュレーションシステム１０には、農産物／水産物の直販を行う生産者２０のコンピュータ、スーパーマーケットやその他の市場価格を提供する第三者３０のコンピュータ、および市場の消費や直販の商品を購入する消費者４０のコンピュータがネットワーク５０を介して接続されている。
【００１８】
また、直販価格シミュレーションシステム１０は、サーバなどのコンピュータで構成されており、生産者２０のコンピュータ、第三者３０のコンピュータ、および消費者４０のコンピュータとの通信や、データ処理などを行う処理部６０および直販価格のシミュレーション処理に使用される複数のテーブルが格納されたデータベース７０を有している。
【００１９】
処理部６０は、直販価格のシミュレーション処理を行う価格計算エンジン６１を有しており、価格計算エンジン６１は、例えば、直販価格シミュレーションシステム１０の記憶装置などに格納された直販価格シミュレーションプログラムを、処理部６０やその他の演算部などで実行することにより、直販価格のシミュレーション処理を行うようになっている。
【００２０】
また、データベース７０は、生産者２０が直販する直販商品の商品情報を格納する直販商品テーブル７１、直販商品の取引の履歴情報を格納する直販取引テーブル７２、市場で取引される市場商品の商品情報を格納する市場商品テーブル７３、市場商品の取引の履歴情報を格納する市場取引テーブル７４、および直販商品と市場商品とを関連付ける紐付情報を格納する直販商品と市場商品の紐付テーブル７５を有している。
【００２１】
また、ネットワーク５０には、例えば、消費者４０が直販商品を通信販売で購入する際に使用されるＥＣシステム８０が接続されており、ＥＣシステム８０では、売買、決済、および発送などの処理を行っている。
【００２２】
＜各テーブルの詳細＞
次に、図２〜図７により、本発明の実施の形態１に係る直販価格シミュレーションシステムで使用されるテーブルの詳細について説明する。図２〜図６は本発明の実施の形態１に係る直販価格シミュレーションシステムで使用されるテーブルの詳細を示す図であり、図２は直販商品テーブル、図３は直販取引テーブル、図４は市場商品テーブル、図５は市場取引テーブル、図６は直販商品と市場商品の紐付テーブルの一例を示している。図７は本発明の実施の形態１に係る直販価格シミュレーションシステムで使用される直販商品と市場商品の紐付テーブルでの紐付けの一例を示す図である。
【００２３】
直販商品テーブル７１は、図２に示すように、項目として、直販商品ＩＤ、商品名、種別名、地域、個数、および単位が格納されている。
【００２４】
直販商品ＩＤは、直販商品を特定するための識別となるＩＤであり、例えば「０００１」、「０００２」、「０００３」などの情報が格納される。商品名は、直販商品が販売されるときの商品名であり、例えば、「活ほたて」、「冷凍カニ」などの情報が格納される。種別名は、直販商品として販売される生産物の種別名であり、例えば、「ほたて」、「タラバ蟹」などの情報が格納される。
【００２５】
地域は、直販商品として販売される生産物の産地などを示す地域であり、例えば、「岩手県」、「北海道」などの情報が格納される。個数は直販商品として販売されるときの生産物の個数であり、その個数の情報が格納される。単位は、生産物の個数を数える単位であり、例えば、「個」、「杯」などの情報が格納される。
【００２６】
直販商品テーブル７１には、この他に、例えば、直販商品の参考となる価格の情報や、生産物に含まれる物質などの含有量や、鮮度などのその他属性の情報を格納することもできる。
【００２７】
直販取引テーブル７２は、図３に示すように、項目として、直販商品ＩＤ、日付、取引数量、および単価が格納されている。
【００２８】
直販商品ＩＤは、直販商品を販売した際の直販商品のＩＤであり、直販商品テーブル７１に格納された直販商品ＩＤと同じ情報が格納される。日付は、直販商品を販売した際の日付であり、年／月／日の形式で日付の情報が格納される。取引数量は、直販商品を販売した際の数量であり、その数量の情報が格納される。単価は、直販商品を販売した際の単価であり、販売時の単価の情報が格納される。
【００２９】
市場商品テーブル７３は、図４に示すように、項目として、市場商品ＩＤ、商品名、種別名、地域、個数、および単位が格納されている。
【００３０】
市場商品ＩＤは、市場商品を特定するための識別子となるＩＤであり、例えば「１００１」、「１００２」、「１００３」などの情報が格納される。商品名は、市場商品が販売されるときの商品名であり、例えば、「冷凍ほたて」、「活ほたて」、「冷凍カニ」などの情報が格納される。種別名は、市場商品として販売される生産物の種別名であり、例えば、「ほたて」、「タラバ蟹」などの情報が格納される。
【００３１】
地域は、市場商品として販売される生産物の産地などを示す地域であり、例えば、「青森県」などの情報が格納される。個数は市場商品として販売されるときの生産物の個数であり、その個数の情報が格納される。単位は、生産物の個数を数える単位であり、例えば、「個」、「杯」などの情報が格納される。
【００３２】
市場取引テーブル７４は、図５に示すように、項目として、市場商品ＩＤ、日付、取引数量、および単価が格納されている。
【００３３】
市場商品ＩＤは、市場商品を販売した際の市場商品のＩＤであり、市場商品テーブル７３に格納された市場商品ＩＤと同じ情報が格納される。日付は、市場商品を販売した際の日付であり、年／月／日の形式で日付の情報が格納される。取引数量は、市場商品を販売した際の数量であり、その数量の情報が格納される。単価は、市場商品を販売した際の単価であり、販売時の単価の情報が格納される。
【００３４】
直販商品と市場商品の紐付テーブル７５は、図６に示すように、項目として、直販商品ＩＤおよび市場商品ＩＤが格納されている。
【００３５】
直販商品ＩＤおよび市場商品ＩＤは、それぞれ、直販商品テーブル７１および市場商品テーブル７３に格納された直販商品ＩＤおよび市場商品ＩＤが格納され、直販商品ＩＤに対して、市場商品ＩＤを紐付けている。
【００３６】
この直販商品と市場商品の紐付テーブル７５による、直販商品ＩＤと市場商品ＩＤとの紐付けの情報は、例えば、生産者２０が、あらかじめ直販商品に対して直販商品の価格に影響を与える市場商品群を市場商品テーブル７３の中から選択することにより登録されている。
【００３７】
また、直販商品ＩＤと市場商品ＩＤとの紐付けは、図７に示すように、市場商品群と直販商品の関係はＮ：１となっている。図７に示す商品１〜５は、市場商品テーブル７３に格納されている情報、直販商品１〜３は直販商品テーブル７１に格納されている情報である。
【００３８】
なお、図６に示す直販商品と市場商品の紐付テーブル７５の例では、直販商品ＩＤ「０００１」に対して、市場商品ＩＤ「１００１」および「１００２」が紐付けられており、直販商品の「活ほたて」に対して、市場商品の「冷凍ほたて」および「活ほたて」が紐付けられ、その個数も異なっているが、この紐付けを行う生産者２０の采配で、直販商品に影響を与える市場商品群として登録している。
【００３９】
この直販商品と市場商品の紐付テーブル７５については、これに限らず、例えば、他の情報により、直販商品に対応する市場商品のデータベースなどがあれば、それを参考に生産者２０が選択することも可能である。
【００４０】
＜直販価格シミュレーションシステムの全体の流れ＞
次に、図８により、本発明の実施の形態１に係る直販価格シミュレーションシステムの全体の流れについて説明する。図８は本発明の実施の形態１に係る直販価格シミュレーションシステムの全体の流れを説明するための説明図である。
【００４１】
まず、直販を行う生産者２０から直販商品テーブル７１および直販取引テーブル７２に格納される生産物情報を取得し、データベース７０に格納する（ステップＳ１０）。そして、市場価格を提供する第三者３０から市場商品テーブル７３および市場取引テーブル７４に格納される市場価格の情報を取得し、データベース７０に格納する（ステップＳ２０）。
【００４２】
また、消費者４０から、ニーズ情報を取得し、データベース７０に格納する（ステップＳ３０）。なお、このニーズ情報は消費者４０から生産者２０に対して、希望する商品の商品情報を送るための情報であり、このニーズ情報は、例えば、個別のテーブルとしてデータベース７０に格納されるか、または直販商品テーブル７１に直販商品ＩＤなしの状態で格納されるかして、データベース７０に格納される。
【００４３】
また、ニーズ情報は第三者３０からも送ることも可能である。この場合は、このニーズ情報は、例えば、個別のテーブルとしてデータベース７０に格納されるか、または市場商品テーブル７３に市場商品ＩＤなしの状態で格納されるかして、データベース７０に格納される。
【００４４】
そして、データベース７０から情報を抽出し、価格計算エンジン６１を用いて、生産者に最適な価格をシミュレーションして、生産者２０に通知する（ステップＳ４０）。このシミュレーション処理の内容については後述する。
【００４５】
なお、ステップＳ１０における、データベース７０への情報の格納については、例えば、生産者２０が漁獲情報などから、直販商品として販売する情報を日々、データベース７０にアップロードすることにより情報が格納される。
【００４６】
また、ステップＳ２０における、データベース７０への情報の格納については、例えば、第三者３０からの市場価格の情報提供や、第三者３０としての提携スーパーマーケットからの商品情報の定期的なアップロードなどにより情報が格納される。
【００４７】
また、ステップＳ３０における、データベース７０への情報の格納については、消費者４０がスマートフォンアプリなどを活用して、商品情報をアップロードすることにより情報が格納される。
【００４８】
また、消費者４０はＥＣシステム８０により、生産者２０が販売する直販商品の購入や決済などの処理を行う、生産者２０は、ＥＣシステム８０を使用し発送処理などを行う（ステップＳ５０）。
【００４９】
＜価格計算エンジンの処理動作＞
次に、図９により、本発明の実施の形態１に係る直販価格シミュレーションシステムの価格計算エンジンの処理動作について説明する。図９は本発明の実施の形態１に係る直販価格シミュレーションシステムの価格計算エンジンの処理動作を示すフローチャートである。
【００５０】
図９に示すフローチャートは、例えば、日時バッチなどで実施され、全部または一部を対象にループ処理される。まず、ループ処理にて指定された直販商品の関連情報（直販取引テーブル７２の取引情報、直販商品と市場商品の紐付テーブル７５から関連付けられた市場商品の市場取引テーブル７４の取引情報）をデータベース７０から情報取得する（ステップＳ１００）。
【００５１】
そして、指定された直販商品に紐付けている市場商品群の価格の過去Ｘヶ月分の平均［「市場価格（Ａ）」とする］を計算し（ステップＳ１１０）、直販価格の過去Ｘヶ月分の平均［「直販価格（Ｂ）」とする］を計算する（ステップＳ１２０）。そして、ステップＳ１１０と、ステップＳ１２０で計算された結果の比率（Ａ：Ｂ）を計算する（ステップＳ１３０）。
【００５２】
そして、最新の市場価格を取得し、最新市場価格×Ｂ／Ａの計算にて、直販価格を算出する（ステップＳ１４０）。これにより、生産者２０に市場価格の価格変動（つまり、需要）に応じた直販価格をシミュレーションできる。
【００５３】
すなわち、ステップＳ１４０における計算では、シミュレーションにより算出される直販価格／Ｂ＝最新市場価格／Ａの関係が保たれるように計算され、市場価格の平均Ａに対して、最新市場価格が変動した場合に、その比率に応じて、直販価格の平均Ｂに対する直販価格が修正されることになり、市場価格の価格変動がある場合に、その価格変動を反映した直販価格を計算することができる。
【００５４】
また、ステップＳ１４０における計算で使用される最新市場価格は、市場取引テーブル７４の格納された取引情報の最新のものが使用される。この市場取引テーブル７４への市場商品の取引情報の登録がリアルタイムであれば、現在取引されている市場商品の市場価格が最新市場価格となり、定期的に市場取引テーブル７４への市場商品の取引情報の登録が行われる場合には、例えば、１日や１週間などの定期的の登録時の最新の取引情報が最新市場価格となる。
【００５５】
そして、生産者２０にステップＳ１４０で算出した直販価格を通知する（ステップＳ１５０）。この通知により、生産者２０は、現在の直販価格を見直すことができ、需要と供給に応じた直販価格を実現することが可能である。
【００５６】
なお、直販商品テーブル７１に、生産物に含まれる物質などの含有量や、鮮度などのその他属性の情報が格納されている場合には、このその他属性の情報を考慮して直販価格の計算結果を補正することも可能である。
【００５７】
（実施の形態２）
＜ニーズ情報の利用＞
次に、図１０により、本発明の実施の形態２に係る直販価格シミュレーションシステムのニーズ情報を利用した処理について説明する。図１０は本発明の実施の形態２に係る直販価格シミュレーションシステムのニーズ情報を利用した処理を示すフローチャートである。基本的な構成は、図１に示す実施の形態１と同様であるが、消費者４０のニーズをデータベース７０に格納する。
【００５８】
まず、消費者４０や第三者３０が、ニーズ情報を、直販価格シミュレーションシステム１０にアップロードするなどしてデータベース７０に登録する（ステップＳ２００）。そして、直販価格シミュレーションシステム１０は、データベース７０に登録されたニーズ情報を生産者２０に通知する（ステップＳ２１０）。
【００５９】
そして、通知を受けた生産者２０は、そのニーズ情報に基づいて、直販商品の商品情報を直販価格シミュレーションシステム１０にアップロードして、直販商品テーブル７１に登録する（ステップＳ２２０）。
【００６０】
そして、生産者２０が、直販商品テーブル７１に登録した直販商品と市場商品の紐付情報を直販価格シミュレーションシステム１０にアップロードして、直販商品と市場商品の紐付テーブル７５に登録する（ステップＳ２３０）。なお、ニーズ情報は、市場商品テーブル７３に登録することも可能である。
【００６１】
このように、消費者４０などからのニーズ情報を生産者２０に通知することで、生産者２０は、ニーズ情報に基づいて直販商品を登録することができ、直販商品を登録した後は、紐付けた市場商品の価格の変動により直販価格を見直すことができ、需要と供給に応じた直販価格を実現することが可能である。
【００６２】
また、ニーズ情報は、価格情報も含めることができ、消費者４０から、生産者２０にニーズ情報として直販商品の希望価格を含めて通知することができ、生産者２０は、希望価格を含めて直販商品を販売するのか否かを判断し、直販商品テーブル７１に登録するか否かを決定することが可能である。この場合、直販商品と消費者４０のニーズとの間で価格を調整することが可能である。
【００６３】
以上のように、本実施の形態では、需要と供給を考慮している市場価格の情報を活用することで、需要と供給に応じた直販価格を実現することが可能である。
【００６４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６５】
１０…直販価格シミュレーションシステム、２０…生産者、３０…第三者、４０…消費者、５０…ネットワーク、６０…処理部、６１…価格計算エンジン、７０…データベース、７１…直販商品テーブル、７２…直販取引テーブル、７３…市場商品テーブル、７４…市場取引テーブル、７５…直販商品と市場商品の紐付テーブル、８０…ＥＣシステム。
【図１】
2015187825.tif 000003
【図２】
2015187825.tif 000004
【図３】
2015187825.tif 000005
【図４】
2015187825.tif 000006
【図５】
2015187825.tif 000007
【図６】
2015187825.tif 000008
【図７】
2015187825.tif 000009
【図８】
2015187825.tif 000010
【図９】
2015187825.tif 000011
【図１０】
2015187825.tif 000012